(57)【要約】【課題】デジタルカメラまたはデジタル撮影機上に応用されるファインダービュー補助方法と装置に関する。【解決手段】デジタルカメラまたはデジタル撮影機には、ビューファインダー１１が備わっており、その補助装置には入力インターフェイス２０とマイクロ制御器２１とが備わり、補助方法には下記の段階、つまり複数の画面比率提示を提供する段階と、使用者の入力動作に対応して複数のコマンド中から少なくとも１つを出力する段階と、マイクロ制御器２１がそれらコマンドを受信するとともにそれに対応して少なくとも１つの画面比率提示をビューファインダー１１上に表示して、使用者の参考として提供する段階とが含まれている。【選択図】図２
2005012741.tif 000002
【特許請求の範囲】
【請求項１】
ビューファインダーを有するデジタルカメラに応用されるファインダービュー補助方法であり、
複数の画面比率提示を提供する段階と、
使用者の選択に応じて、画面比率提示を当該ビューファインダー上に表示して、当該使用者の参考として提供する段階とを備えていること
を特徴とするファインダービュー補助方法。
【請求項２】
更に、画面比率情報を参考とされる当該画面比率提示により生成されたデジタル画像データファイル中に記憶する段階を備えていることを特徴とする請求項１に記載のファインダービュー補助方法。
【請求項３】
更に、当該デジタル画像データファイル中に記憶された当該画面比率情報に基づき、当該デジタル画像データファイルをディスプレイ上に表示するかまたは出力して実体フィルムとする段階を備えていることを特徴とする請求項１に記載のファインダービュー補助方法。
【請求項４】
当該画面比率提示は当該ビューファインダーを有効領域と無効領域とに分割し、当該有効領域の輝度は当該無効領域を上回っていることを特徴とする請求項１に記載のファインダービュー補助方法。
【請求項５】
当該画面比率提示は当該ビューファインダーを有効領域と無効領域とに分割し、当該有効領域と当該無効領域との間には標示線が備わっていることを特徴とする請求項１に記載のファインダービュー補助方法。
【請求項６】
ビューファインダーを有するデジタルカメラに応用されるファインダービュー補助装置であり、
使用者の入力動作に対応して複数のコマンド中から少なくとも１つを選択して出力する入力インターフェイスと、
信号により当該入力インターフェイスと接続しており、当該それらコマンドを受信するとともにそれに対応して少なくとも１つの画面比率提示を当該ビューファインダー上に表示して、当該使用者の参考として提供するマイクロ制御器と
を備えていることを特徴とするファインダービュー補助装置。
【請求項７】
更に、当該マイクロ制御器は画面比率情報を参考とされる当該画面比率提示により生成されたデジタル画像データファイル中に記憶することを特徴とする請求項６に記載のファインダービュー補助装置。
【請求項８】
当該画面比率提示は当該ビューファインダーを有効領域と無効領域とに分割し、当該有効領域の輝度は当該無効領域を上回っていることを特徴とする請求項１に記載のファインダービュー補助装置。
【請求項９】
当該画面比率提示は当該ビューファインダーを有効領域と無効領域とに分割し、当該有効領域と当該無効領域との間には標示線が備わっていることを特徴とする請求項１に記載のファインダービュー補助装置。
【請求項１０】
当該入力インターフェイスは押しボタンであることを特徴とする請求項１に記載のファインダービュー補助装置。
【発明の詳細な説明】
【技術分野】
【０００１】
本発明は、ファインダービュー補助方法と装置に関するものであり、特にデジタルカメラまたはデジタル撮影機上に応用されるファインダービュー補助方法と装置に関するものである。
【背景技術】
【０００２】
現在一般に使用されているデジタルカメラ／撮影機について、それが撮影するデジタル画像の多くは４×３の比率で存在しており、例えば一般には８００×６００、１０２４×７６８、１２８０×９６０、１６００×１２００などの解像度となっている。しかし、一般の写真用紙のサイズ比率は５×３と６×４（一般の言い方では３×５、４×６）であるため、使用者がデジタルカメラで撮影したデジタル画像を現像店に持参して一般の写真フィルムに現像する際には、以下の何種類かの問題が発生する。
【０００３】
第一に、画像処理ソフトウェアを利用してデジタル画像の比率を縮小・拡大し、デジタル画像の元来のアスペクト比（４×３）を写真用紙の比率である５×３または６×４に変更した場合には、デジタル画像内の人物画像すべてに比率歪みという現象が発生する。第二に、デジタル画像の元来の比率を維持しようとする場合には、一部画像が切除されるかまたは現像された写真用紙に白い縁が存在するという状況が発生する。第三に、前記画像処理動作を行なう場合、公知の手段ではすべてデジタル画像をコンピュータ上にダウンロードして実施しなければならないため、使用者にとっては不便である。
【０００４】
また、デジタルカメラまたはデジタル撮影機で撮影されたデジタル画像を旧来の写真用紙サイズの比率（５×３または６×４）に制限した場合には、当該デジタル画像をその他サイズの写真用紙に現像する際に柔軟性が損なわれる。
【発明の開示】
【発明が解決しようとする課題】
【０００５】
上記公知手段における画像比率の歪み、画像の切除、現像された写真用紙に白い縁が存在すること、またはコンピュータを利用して処理しなければならないなどの各種欠陥をどのようにして改善するのか、それが本発明の主な目的である。
【課題を解決するための手段】
【０００６】
本発明は、ファインダービュー補助方法と装置に関するものであり、デジタルカメラまたはデジタル撮影機上に応用される。当該デジタルカメラには、ビューファインダーが備わっており、当該補助方法には下記の段階、つまり複数の画面比率提示を提供する段階と、使用者の選択に対応して画面比率提示を当該ビューファインダー上に表示して、当該使用者の参考として提供する段階とが含まれている。
【０００７】
前記構想に基づき、本発明で言及されているファインダービュー補助方法には、更に次の段階、つまり画面比率情報を参考とする当該画面比率提示により生成されたデジタル画像データファイル中に記憶する段階が備わっている。
【０００８】
前記構想に基づき、本発明で言及されているファインダービュー補助方法には、更に次の段階、つまり当該デジタル画像データファイル中に記憶された当該画面比率情報に基づき、当該デジタル画像データファイルをディスプレイ上に表示するかまたは出力して実体フィルムとする段階が備わっている。
【０００９】
前記構想に基づき、本発明で言及されているファインダービュー補助方法において、当該画面比率提示は当該ビューファインダーを有効領域と無効領域とに分割し、当該有効領域の輝度は当該無効領域を上回っている。
【００１０】
前記構想に基づき、本発明で言及されているファインダービュー補助装置において、当該画面比率提示は当該ビューファインダーを有効領域と無効領域とに分割し、当該有効領域と当該無効領域との間には標示線が備わっている。
【００１１】
本発明の別の面はファインダービュー補助装置に関するものであり、デジタルカメラまたはデジタル撮影機上に応用される。当該デジタルカメラにはビューファインダーが備わっており、当該補助装置には、使用者の入力動作に対応して複数のコマンド中から少なくとも１つを選択して出力する入力インターフェイスと、信号により当該入力インターフェイスと接続しており、当該それらコマンドを受信するとともにそれに対応して少なくとも１つの画面比率提示を当該ビューファインダー上に表示して、当該使用者の参考として提供するマイクロ制御器とが備わっている。
【００１２】
前記構想に基づき、本発明で言及されているファインダービュー補助装置において、更に、当該マイクロ制御器は画面比率情報を参考とされる当該画面比率提示により生成されたデジタル画像データファイル中に記憶する。
【００１３】
前記構想に基づき、本発明で言及されているファインダービュー補助装置において、当該画面比率提示は当該ビューファインダーを有効領域と無効領域とに分割し、当該有効領域の輝度は当該無効領域を上回っている。
【００１４】
前記構想に基づき、本発明で言及されているファインダービュー補助装置において、当該画面比率提示は当該ビューファインダーを有効領域と無効領域とに分割し、当該有効領域と当該無効領域との間には標示線が備わっている。
【００１５】
前記構想に基づき、本発明で言及されているファインダービュー補助方法において、当該入力インターフェイスは押しボタンである。
【００１６】
本発明は下記図式と詳細説明により、更に理解が深まるはずである。
【発明の効果】
【００１７】
本発明によれば、使用者が本発明のデジタルカメラまたはデジタル撮影機で撮影が完了したデジタル画像データファイルをカメラまたはコンピュータ上で予め閲覧する場合、カメラまたはコンピュータは当該デジタル画像データファイル中に記録されている当該画面比率情報に基づき、当該デジタル画像データファイルを比率が一致した画像として出力して表示することができ、前記動作はすべて直接カメラ上で実施することができ、コンピュータにダウンロードして実施する必要はないため、使用者の利便性は向上している。現像を依頼するかまたはプリントアウトして出力する際には、画像出力設備は当該デジタル画像データファイル中に記録されている当該画面比率情報に基づき、当該デジタル画像データファイルを比率が一致した実体フィルムとして出力することができる。本発明については、当該技術に習熟した技術者であれば、それを任意に工夫し修飾を施すことができるが、それが添付の特許請求の範囲を逸脱していない限り保護されるべきであることは言うまでもない。
【発明を実施するための最良の形態】
【００１８】
図１に示されているのは、本発明において公知の欠陥を改善して公開されたデジタルカメラまたはデジタル撮影機の適正な実施例による外観見取図であり、そのうちデジタルカメラ１上は主に押しボタン１２を有する入力インターフェイスであり、別途更に旧来型ビューファインダー１０と液晶表示ビューファインダー１１が備わっている。
【００１９】
図２に示されているのは、本発明の適正な実施例における機能ブロック見取図であり、そのうち入力インターフェイス２０は、使用者の入力動作に対応して複数のコマンド中から少なくとも１つを選択して出力し、当該それらコマンドはそれぞれ画面比率提示に対応しており、それにより、マイクロ制御器２１が当該それらコマンドのうちの１つのコマンドを受信した際には、相互に対応して画面比率提示が、旧来型ビューファインダー１０と液晶表示ビューファインダー１１上に表示されて、当該使用者の参考として提供される。また、使用者がある画面比率提示を利用してデジタル画像の撮影を完了した際には、マイクロ制御器２１が当該画面比率情報と当該デジタル画像を一括して１つのデジタル画像データファイル中に収納して、記憶装置２２（例えばフラッシュメモリ）中に保管する。
【００２０】
画面比率提示を利用してファインダービューを補助する方法の実例は図３（ａ）（ｂ）に示されている通りであり、そのうち図３（ａ）に示されているのは、複数の比率が異なる画面比率提示が提供されて、使用者が入力インターフェイスを利用して選択する場合であり、使用者が３×５比率を選択した場合、ビューファインダー３０上に表示される画面について、それは主に有効領域３０１と無効領域３０２とに区分されており、そのうち当該有効領域３０１の輝度は当該無効領域３０２を上回っている。図３（ｂ）に示されているのは、４×６が選択された場合であり、ビューファインダー３０上に表示される画面について、そこでも同様に有効領域３０１と無効領域３０２とに区分されており、そのうち当該有効領域３０１の輝度は当該無効領域３０２を上回っている。
【００２１】
図４（ａ）（ｂ）は、別の画面比率提示の実例見取図であり、ここでも同様に当該ビューファインダー４０は、有効領域４０１と無効領域４０２とに区分されており、そのうち当該有効領域と当該無効領域との間には、標示線４００が備わっている。図４（ｃ）に示されているのは、４×６比率と３×５比率とが同時にビューファインダー３０上に表示された場合の画面見取図である。
【図面の簡単な説明】
【００２２】
【図１】本発明において公知の欠陥を改善して公開されたデジタルカメラまたはデジタル撮影機適正な実施例の外観見取図。
【図２】本発明の適正な実施例における機能ブロック見取図。
【図３（ａ）】画面比率提示を利用してファインダービューを補助する方法の実例見取図。
【図３（ｂ）】画面比率提示を利用してファインダービューを補助する方法の実例見取図。
【図４（ａ）】別の画面比率提示の実例見取図。
【図４（ｂ）】別の画面比率提示の実例見取図。
【図４（ｃ）】別の画面比率提示の実例見取図。
【符号の説明】
【００２３】
１１  液晶表示ビューファインダー
１２  押しボタン
２０  入力インターフェイス
２１  マイクロ制御器
２２  記憶装置
３０  ビューファインダー
３０１  有効領域
３０２  無効領域
４０  ビューファインダー
４００  標示線
４０１  有効領域
４０２  無効領域
【図１】
2005012741.tif 000003
【図２】
2005012741.tif 000004
【図３（ａ）】
2005012741.tif 000005
【図３（ｂ）】
2005012741.tif 000006
【図４（ａ）】
2005012741.tif 000007
【図４（ｂ）】
2005012741.tif 000008
【図４（ｃ）】
2005012741.tif 000009